(57)【要約】【課題】操作部の第１，第２操作のどちらも磁気センサを用いて検出でき、かつ、操作部の操作の誤検出を防止できる磁気検出式入力装置の提供。【解決手段】操作部２の矢印P方向のプッシュ操作時、駆動部9は第１挿入部10の底部10eで第１操作検出用傾動体12を押し傾動させ、これに伴う第１操作検出用磁石14の矢印A方向の移動を第１操作検出用磁気センサ16が検出し、この間第２挿入部11の第１操作時逃げ部11fは第２操作検出用傾動体13を傾動させるのを避ける。操作部2の矢印S1又はS2方向のスライド操作時、駆動部9は第２挿入部11の内側面11d又は11cで第２操作検出用傾動体13を押し傾動させ、これに伴う第２操作検出用磁石15の矢印B1又はB2方向の移動を第2操作検出用磁気センサ17が検出し、この間第１挿入部10の第２操作時逃げ部10f又は10gは第１操作検出用傾動体12を傾動させるのを避ける。【選択図】図２
2009212004.tif 000002
【特許請求の範囲】
【請求項１】
所定方向への操作である第１操作と、この第１操作の方向に交差する方向への第２操作とが可能な操作部と、前記操作部の前記第１操作に伴って移動する第１操作検出用磁石と、前記操作部の前記第２操作に伴って移動する第２操作検出用磁石と、前記第１操作検出用磁石の移動を検出して電気信号に変換する第１操作検出用磁気センサと、前記第２操作検出用磁石の移動を検出して電気信号に変換する第２操作検出用磁気センサと、を備えた磁気検出式入力装置であって、
前記操作部と共に前記第１，第２操作の方向に移動する駆動部と、
前記駆動部により駆動される被駆動部が一端に設けられ他端に前記第１操作検出用磁石が設けられ、それら一端と他端の間の部分で傾動可能に支持された第１操作検出用傾動体と、
前記駆動部により駆動される被駆動部が一端に設けられ他端に前記第２操作検出用磁石が設けられ、それら一端と他端の間の部分で傾動可能に支持された第２操作検出用傾動体とをさらに備え、
前記駆動部には、前記第１操作検出用傾動体の被駆動部が挿入された第１挿入部と、前記第２操作検出用傾動体の被駆動部が挿入された第２挿入部とが設けられ、
前記第１挿入部は、前記第１操作のときに前記第１操作検出用傾動体の被駆動部を押し動かす第１操作時押圧部と、前記第２操作のときに前記第１操作検出用傾動体の被駆動部を移動させることを避ける第２操作時逃げ部とを有し、
前記第２挿入部は、前記第２操作のときに前記第２操作検出用傾動体の被駆動部を押し動かす第２操作時押圧部と、前記第１操作のときに前記第２操作検出用傾動体の被駆動部を移動させることを避ける第１操作時逃げ部とを有する
ことを特徴とする磁気検出式入力装置。
【発明の詳細な説明】
【技術分野】
【０００１】
本発明は、操作体の操作を磁気センサにより電気信号に変換して出力する磁気検出式入力装置に関する。
【背景技術】
【０００２】
従来の磁気検出式入力装置としては、プッシュ操作型、スライド操作型、傾動操作型の入力装置がある。
【０００３】
プッシュ操作型入力装置は、プッシュ操作可能な操作部と、この操作部のプッシュ操作に伴って移動する磁石と、この磁石の移動を検出して電気信号に変換する磁気センサとを備えている（特許文献１参照）。スライド操作型入力装置は、スライド操作可能な操作部と、この操作部のスライド操作に伴って移動する磁石と、この磁石の移動を検出して電気信号に変換する磁気センサとを備えている（特許文献２参照）。傾動操作型入力装置は、傾動操作可能な操作部と、この操作部の傾動操作に伴って移動する磁石と、この磁石の移動を検出して電気信号に変換する磁気センサとを備えている（特許文献２参照）。
【特許文献１】特開２００７−１８８０５公報
【特許文献２】特開２００１−３５１４８８公報
【発明の開示】
【発明が解決しようとする課題】
【０００４】
ところで、磁気検出式ではない入力装置の種類の中には、プッシュ操作とスライド操作とが可能な操作部を備えたものや、プッシュ操作と傾動操作とが可能な操作部を備えたもの、つまり、プッシュ操作からなる第１操作と、この第１操作の方向に交差する方向への第２操作とが可能な操作部を備えたものがある。操作部の第１操作（プッシュ操作）を検出する手段としてはスイッチ素子が一般的である。第２操作としてのスライド操作を検出する手段としてはスイッチ素子、可変抵抗器等がある。また、第２操作としての傾動操作を検出する手段としては、ロータリエンコーダ、ポテンショメータ等がある。
【０００５】
磁気検出式入力装置に対しては、磁気検出式ではない入力装置と同様に第１，第２操作の両方が可能な操作部を備えるとともに、第１，第２操作のどちらも磁気センサを用いて検出できることが要望されている。
【０００６】
前記要望を実現するために本願の発明者は、図６に示す磁気検出式入力装置を考えた。図６は本発明者が本発明に想到する前に考えた磁気検出式入力装置を示す図である。
【０００７】
図６において、３０はケースであり、２は操作部である。操作部２は、頭部２ａと、この頭部２ａの中央から延びてケース３０に挿入された茎部２ｂを有し、頭部２ａを茎部２ｂの軸方向（矢印Ｐ方向）に押圧して行うプッシュ操作である第１操作と、この第１操作の方向に交差する方向（矢印Ｓ１方向、矢印Ｓ２方向）への第２操作であるスライド操作とが可能となるようにケース３０に支持されている。
【０００８】
ケース３０に対する操作部２の支持構造の詳細について説明する。ケース３０の内側壁には一対のガイド溝１ａ，１ｂが設けられている。ガイド溝１ａは矢印Ｓ１方向に凹んでいて、ガイド溝１ｂは矢印Ｓ２方向に凹んでいる。これら一対のガイド溝１ａ，１ｂにはスライド体５が、矢印Ｓ１，Ｓ２方向に摺動可能に挿入されているとともに、矢印Ｓ１方向または矢印Ｓ２方向に移動させられたスライド体５を初期位置（図２に示す位置）に復帰させる復帰バネ６，７がそれぞれ配置されている。スライド体５の中央には、矢印Ｓ１方向および矢印Ｓ２方向に直交して延びた筒状部５ａが形成されている。この筒状部５ａに操作部２の茎部２ｂが軸方向に摺動可能に挿入されている。操作部２の茎部２ｂの外周側であって頭部２ａと筒状部５ａとの間には、操作部２をプッシュ操作後に初期位置（図２に示す位置）に復帰させる復帰バネ８が装着されている。このように一対のガイド溝１ａ，１ｂ、スライド体５および復帰バネ６，７，８から構成された支持構造によって、操作部２は矢印Ｐ方向のプッシュ操作（第１操作）と矢印Ｓ１方向および矢印Ｓ２方向のスライド操作（第２操作）とが可能にケース３０に支持されている。
【０００９】
操作部２の茎部２ｂの頭部２ａ側とは反対側の端部には、操作部２と共に矢印Ｐ方向、矢印Ｓ１方向および矢印Ｓ２方向に移動する駆動部３１が設けられている。ケース３０の底部１ｃ側に位置する駆動部３１の面には、第１，第２操作検出用磁石１４，１５がスライド操作の方向に並んで設けられている。ケース３０の底部１ｃには、第１操作検出用磁石１４の移動を検出して電気信号に変換する第１操作検出用磁気センサ１６と、第２操作検出用磁石１５の移動を検出して電気信号に変換する第２操作検出用磁気センサ１７とが設けられている。操作部２がプッシュ操作もスライド操作もされていない状態において、第１操作検出用磁石１４は第１操作検出用磁石１４に対向して位置し、第２操作検出用磁気センサ１７は第２操作検出用磁石１５に対向して位置する。
【００１０】
このように構成された磁気検出式入力装置では、プッシュ操作時とスライド操作時のどちらのときでも、第１，第２操作検出用磁石１４，１５の両方が移動するため、操作部２の操作を誤検出するおそれがある。
【００１１】
本発明は前述の事情を考慮してなされたものであり、その目的は、所定方向への操作である第１操作と、この第１操作の方向に交差する方向への第２操作との両操作が可能な操作部を備え、第１，第２操作のどちらも磁気センサを用いて検出でき、かつ、操作部の操作の誤検出を防止できる磁気検出式入力装置を提供することにある。
【課題を解決するための手段】
【００１２】
前述の目的を達成するために、本発明の磁気検出式入力装置は、所定方向への操作である第１操作と、この第１操作の方向に交差する方向への第２操作とが可能な操作部と、前記操作部の前記第１操作に伴って移動する第１操作検出用磁石と、前記操作部の前記第２操作に伴って移動する第２操作検出用磁石と、前記第１操作検出用磁石の移動を検出して電気信号に変換する第１操作検出用磁気センサと、前記第２操作検出用磁石の移動を検出して電気信号に変換する第２操作検出用磁気センサと、を備えた磁気検出式入力装置であって、前記操作部と共に前記第１，第２操作の方向に移動する駆動部と、前記駆動部により駆動される被駆動部が一端に設けられ他端に前記第１操作検出用磁石が設けられ、それら一端と他端の間の部分で傾動可能に支持された第１操作検出用傾動体と、前記駆動部により駆動される被駆動部が一端に設けられ他端に前記第２操作検出用磁石が設けられ、それら一端と他端の間の部分で傾動可能に支持された第２操作検出用傾動体とをさらに備え、前記駆動部には、前記第１操作検出用傾動体の被駆動部が挿入された第１挿入部と、前記第２操作検出用傾動体の被駆動部が挿入された第２挿入部とが設けられ、前記第１挿入部は、前記第１操作のときに前記第１操作検出用傾動体の被駆動部を押し動かす第１操作時押圧部と、前記第２操作のときに前記第１操作検出用傾動体の被駆動部を移動させることを避ける第２操作時逃げ部とを有し、前記第２挿入部は、前記第２操作のときに前記第２操作検出用傾動体の被駆動部を押し動かす第２操作時押圧部と、前記第１操作のときに前記第２操作検出用傾動体の被駆動部を移動させることを避ける第１操作時逃げ部とを有することを特徴とする。
【００１３】
このように構成された本発明の磁気検出式入力装置は次のように動作する。
【００１４】
操作部の第１操作時、駆動部は操作部と共に移動し、第１挿入部の第１操作時押圧部によって第１操作検出用傾動体の被駆動部を押し動かす。これにより、第１操作検出用傾動体が傾動して第１操作検出用磁石が第１操作検出用磁気センサに対して移動する。この第１操作検出用磁石の移動は第１操作検出用磁気センサに検出されて電気信号に変換される。この間、駆動部は第２挿入部の第１操作時逃げ部によって第２操作検出用傾動体の被駆動部を移動させるのを避ける。このため、第２操作検出用磁気センサにより第２操作検出用磁石の移動が検出されることはない。
【００１５】
操作部の第２操作時、駆動部は操作部と共に移動し第２挿入部の第２操作時押圧部によって第２操作検出用傾動体の被駆動部を押し動かす。これにより、第２操作検出用傾動体が傾動して第２操作検出用磁石が第２操作検出用磁気センサに対して移動する。この第２操作検出用磁石の移動は第２操作検出用磁気センサに検出されて電気信号に変換される。この間、駆動部は第１挿入部の第２操作時逃げ部によって第１操作検出用傾動体の被駆動部を移動させるのを避ける。このため、第１操作検出用磁気センサにより第１操作検出用磁石の移動が検出されることはない。
【発明の効果】
【００１６】
本発明は、前述のように動作することから、第１，第２操作を第１，第２操作検出用磁気センサにより確実に区別して検出することができる。つまり、本発明によれば「所定方向への操作である第１操作と、この第１操作の方向に交差する方向への第２操作とが可能な操作部を備え、第１，第２操作のどちらも磁気センサを用いて検出でき、かつ、操作の誤検出を防止できる磁気検出式入力装置」を提供することができる。
【発明を実施するための最良の形態】
【００１７】
〔第１実施形態〕
本発明の第１実施形態に係る磁気検出式入力装置について、図１〜４を用いて説明する。図１は本発明の第１実施形態に係る磁気検出式入力装置の上面図である。図２は図１のII−II断面図である。図３は本発明の第１実施形態に係る磁気検出式入力装置の、図２のIII−III位置における断面図である。図４は本発明の第１実施形態に係る磁気検出式入力装置の、図２のIV−IV位置における断面図である。
【００１８】
図１において、前述の図６と同じく１はケースであり２は操作部である。操作部２は、頭部２ａと、この頭部２ａの中央から延びてケース１に挿入された茎部２ｂを有し、頭部２ａを茎部２ｂの軸方向（矢印Ｐ方向）に押圧して行うプッシュ操作である第１操作と、この第１操作の方向に交差する方向（矢印Ｓ１方向、矢印Ｓ２方向）への第２操作であるスライド操作とが可能となるようにケース１に支持されている。
【００１９】
ケース１に対する操作部２の支持構造の詳細についても「発明が解決しようとする課題」の欄での説明と重複するが説明する。ケース１の内側壁には一対のガイド溝１ａ，１ｂが設けられている。ガイド溝１ａは矢印Ｓ１方向に凹んでいて、ガイド溝１ｂは矢印Ｓ２方向に凹んでいる。これら一対のガイド溝１ａ，１ｂにはスライド体５が、矢印Ｓ１，Ｓ２方向に摺動可能に挿入されているとともに、矢印Ｓ１方向または矢印Ｓ２方向に移動させられたスライド体５を初期位置（図２に示す位置）に復帰させる復帰バネ６，７がそれぞれ配置されている。スライド体５の中央には、矢印Ｓ１方向および矢印Ｓ２方向に直交して延びた筒状部５ａが形成されている。この筒状部５ａに操作部２の茎部２ｂが軸方向に摺動可能に挿入されている。操作部２の茎部２ｂの外周側であって頭部２ａと筒状部５ａとの間には、操作部２をプッシュ操作後に初期位置（図２に示す位置）に復帰させる復帰バネ８が装着されている。このように一対のガイド溝１ａ，１ｂ、スライド体５および復帰バネ６，７，８から構成された支持構造によって、操作部２は矢印Ｐ方向のプッシュ操作（第１操作）と矢印Ｓ１方向および矢印Ｓ２方向のスライド操作（第２操作）とが可能にケース１に支持されている。
【００２０】
第１実施形態に係る磁気検出式入力装置の特徴について説明する。
【００２１】
第１実施形態に係る磁気検出式入力装置は、駆動部９を備えている。この駆動部９は、操作部２の茎部２ｂの頭部２ａ側とは反対側の端部に設けられていて、操作部２と共に矢印Ｐ方向、矢印Ｓ１方向および矢印Ｓ２方向に移動するものである。この駆動部９とケース１の底部１ｃとの間には、第１，第２操作検出用傾動体１２，１３が配置されている。第１操作検出用傾動体１２の一端には、駆動部９により駆動される球状の被駆動部１２ａが設けられている。第１操作検出用傾動体１２の他端には第１操作検出用磁石１４Ａが設けられている。それら一端と他端の間の部分で、第１操作検出用傾動体１２はケース１に傾動可能に支持されている。１２ｂは第１操作検出用傾動体１２の一端と他端の間の部分に設けられた、第１操作検出用傾動体１２の傾動支点となる軸部であり、ケース１に設けられた軸受１ｄに保持されている。第２操作検出用傾動体１３の一端には、駆動部９により駆動される球状の被駆動部１３ａが一端に設けられている。第２操作検出用傾動体１３の他端には第２操作検出用磁石１５が設けられている。それら一端と他端の間の部分で、第２操作検出用傾動体１３は傾動可能に支持されている。１３ｂは第２操作検出用傾動体１３の一端と他端の部分に設けられた、第２操作検出用傾動体１３の傾動支点となる軸部であり、ケース１に設けられた軸受１ｅに保持されている。
【００２２】
駆動部９には、第１操作検出用傾動体１２の被駆動部１２ａが挿入された第１挿入部１０と、第２操作検出用傾動体１３の被駆動部１３ａが挿入された第２挿入部１１とが設けられている。
【００２３】
第１挿入部１０は、スライド操作の方向に長い長方形状の穴からなる（図４参照）。第１挿入部１０において、その幅方向に対向する内側面１０ａ，１０ｂは第１操作検出用傾動体１２の被駆動部１２ａに対して摺動可能に位置し、長さ方向に対向する内側面１０ｃ，１０ｄはそれぞれ被駆動部１２ａとの間に間隔をあけて位置する。第１挿入部１０の底部１０ｅは被駆動部１２ａに接触している（図２参照）。底部１０ｅは、プッシュ操作のときに第１操作検出用傾動体１２の被駆動部１２ａを押し動かす第１操作時押圧部である。内側面１０ｃ，１０ｄのそれぞれは被駆動部１２ａと間隔をあけて位置することによって、スライド操作のときに第１操作検出用傾動体１２の被駆動部１２ａを移動させることを避ける空間である第２操作時逃げ部１０ｆ，１０ｇを、第１挿入部１０に形成している。
【００２４】
第２挿入部１１は、プッシュ操作方向に凹んだ正方形状の穴からなる（図４参照）。第２挿入部１１の内側面１１ａ〜１１ｄはすべて、第２操作検出用傾動体１３の被駆動部１３ａに対して摺動可能に位置する（図４参照）。第２挿入部１１の底部１１ｅは、被駆動部１３ａとの間に間隔をあけて位置する。内側面１１ｃ，１１ｄは、スライド操作のときに第２操作検出用傾動体１３の被駆動部１３ａを押し動かす第２操作時押圧部である。底部１１ｅは被駆動部１３ａと間隔をあけて位置することによって、プッシュ操作のときに第２操作検出用傾動体１３の被駆動部１３ａを移動させることを避ける空間である第１操作時逃げ部１１ｆを、第２挿入部１１に形成している。
【００２５】
図１に示すように、第１操作検出用傾動体１２において、軸部１２ｂと被駆動部１２ａとの連結部１２ｃはクランクを形成している。これにより、操作部２の矢印Ｐ方向へのプッシュ操作に伴って駆動部９が同方向に直線運動したときに、第１挿入部１０の底部１０ｅにより第１操作検出用傾動体１２の被駆動部１２ａが押し動かされると、第１操作検出用磁石１４を矢印Ａ方向に移動させる方向に第１操作検出用傾動体１２が傾動するようになっている。
【００２６】
第２操作検出用傾動体１３において、軸部１３ｂと被駆動部１３ａとの連結部１３ｃは直線状である。これにより、操作部２の矢印Ｓ１方向へのスライド操作に伴って駆動部９が同方向に直線運動したときに、第２挿入部１１の内側面１０ｄにより第２操作検出用傾動体１３の被駆動部１３ａが押し動かされると、第２操作検出用磁石１５を矢印Ｂ１方向に移動させる方向に第２操作検出用傾動体１３が傾動するようになっている。逆に、操作部２の矢印Ｓ２方向へのスライド操作に伴って駆動部９が同方向に直線運動したときに、第２挿入部１１の内側面１０ｃにより第２操作検出用傾動体１３の被駆動部１３ａが押し動かされると、第２操作検出用磁石１５を矢印Ｂ２方向に移動させる方向に第２操作検出用傾動体１３が傾動するようになっている。
【００２７】
ケース１の底部１ｃには、第１操作検出用磁石１４の移動を検出して電気信号に変換する第１操作検出用磁気センサ１６と、第２操作検出用磁石１５の移動を検出して電気信号に変換する第２操作検出用磁気センサ１７とが設けられている。操作部２がプッシュ操作もスライド操作もされていない状態（図２に示す状態）において、第１操作検出用磁石１４は第１操作検出用磁石１４と対向して位置し、第２操作検出用磁気センサ１７は第２操作検出用磁石１５に対向して位置する。
【００２８】
このように構成された第１実施形態に係る磁気検出式入力装置は次のように動作する。
【００２９】
操作部２の矢印Ｐ方向へのプッシュ操作時、駆動部９は操作部２と共に移動して第１挿入部１０の底部１１ｅ（第１操作時押圧部）により第１操作検出用傾動体１２の被駆動部１２ａを押し動かす。これにより、第１操作検出用傾動体１２が傾動して第１操作検出用磁石１４が第１操作検出用磁気センサ１６に対して矢印Ａ方向に移動する。この第１操作検出用磁石１４の移動は第１操作検出用磁気センサ１６に検出されて電気信号に変換される。この間、駆動部９は第２挿入部１１の第１操作時逃げ部１１ｆによって第２操作検出用傾動体１３の被駆動部１３ａを移動させるのを避ける。このため、矢印Ｓ１方向および矢印Ｓ２方向のどちらにも第２操作検出用磁石１５は移動せず、第２操作検出用磁気センサ１７により第２操作検出用磁石１５の移動が検出されることはない。
【００３０】
操作部２の矢印Ｓ１方向へのスライド操作時、駆動部９は操作部２と共に移動して第２挿入部１１の内側面１１ｄ（第２操作時押圧部）により第２操作検出用傾動体１３の被駆動部１３ａを押し動かす。これにより、第２操作検出用傾動体１３が傾動して第２操作検出用磁石１５が第２操作検出用磁気センサ１７に対して矢印Ｂ１方向に移動する。この第２操作検出用磁石１５の移動は第２操作検出用磁気センサ１７に検出されて電気信号に変換される。この間、駆動部９は第１挿入部１０の第２操作時逃げ部１０ｆによって第１操作検出用傾動体１２の被駆動部１２ａを移動させるのを避ける。このため、矢印Ａ方向に第１操作検出用磁石１４は移動せず、第１操作検出用磁気センサ１６により第１操作検出用磁石１４の移動が検出されることはない。
【００３１】
操作部２の矢印Ｓ２方向へのスライド操作時、駆動部９は操作部２と共に移動して第２挿入部１１の内側面１１ｃ（第２操作時押圧部）により第２操作検出用傾動体１３の被駆動部１３ａを押し動かす。これにより、第２操作検出用傾動体１３が傾動して第２操作検出用磁石１５が第２操作検出用磁気センサ１７に対して矢印Ｂ２方向に移動する。この第２操作検出用磁石１５の移動は第２操作検出用磁気センサ１７に検出されて、操作部２の矢印Ｓ１方向へのスライド操作時とは別の電気信号に変換される。この間、駆動部９は第１挿入部１０の第２操作時逃げ部１０ｇによって第１操作検出用傾動体１２の被駆動部１２ａを移動させるのを避ける。このため、矢印Ａ方向に第１操作検出用磁石１４は移動せず、第１操作検出用磁気センサ１６により第１操作検出用磁石１４の移動が検出されることはない。
【００３２】
このように動作することから、第１実施形態に係る磁気検出式入力装置は、Ｐ方向へのプッシュ操作と、Ｐ方向に交差する矢印Ｓ１および矢印Ｓ２方向へのスライド操作とを、第１，第２操作検出用磁気センサ１６，１７により確実に区別して検出することができる。つまり、「プッシュ操作と、このプッシュ操作の方向に交差する方向へのスライド操作とが可能な操作部を備え、プッシュ操作およびスライド操作のどちらも磁気センサを用いて検出でき、かつ、プッシュ操作とスライド操作との誤検出を防止できる磁気検出式入力装置」を提供することができる。
【００３３】
〔第２実施形態〕
本発明の第２実施形態に係る磁気検出式入力装置について、図５を用いて説明する。図５は本発明の第２実施形態に係る磁気検出式入力装置の、図２に対応する断面図である。図５に示したものにおいて、図２に示したものと同等ものには図２に付した符号と同じ符号を付してあり、それらの説明は省略してある。
【００３４】
第２実施形態に係る磁気検出式入力装置では、操作部２は頭部２ａを茎部２ｂの軸方向（矢印Ｐ方向）に押圧して行うプッシュ操作である第１操作と、この第１操作の方向に交差する方向（矢印Ｌ１方向、矢印Ｌ２方向）への第２操作である傾動操作とが可能となるようにケース２０に支持されている。
【００３５】
ケース２０に対する操作部２の支持構造の詳細について説明する。ケース２０の上部には軸受２０ａが設けられている。この軸受２０ａに傾動軸体２１が矢印Ｌ１方向および矢印Ｌ２方向に傾動可能に保持されている。傾動軸体２１の中央には矢印Ｌ１方向および矢印Ｌ２方向に交差する方向に貫通した貫通孔２１ａが形成されている。この貫通孔２１ａに操作部２の茎部２ｂが摺動可能に挿入されている。ケース２０の上部から突出した傾動軸体２１の外周側であってケース２０の上部と操作部２の頭部２ａと間には、復帰バネ２２が装着されている。この復帰バネ２２によって操作部２はプッシュ操作後および傾動操作後に初期位置（図５に示す位置）復帰するようになっている。このように軸受２０ａ、傾動軸体２１および復帰バネ２２から構成された支持構造によって、操作部２は矢印Ｐ方向のプッシュ操作（第１操作）と矢印Ｌ１方向および矢印Ｌ２方向の傾動操作（第２操作）とがケース２０に可能に支持されている。
【００３６】
第２実施形態に係る磁気検出式入力装置は、駆動部２３を備えている。この駆動部２３は、操作部２の茎部２ｂの頭部２ａ側とは反対側の端部に設けられていて、操作部２と共に矢印Ｐ方向、矢印Ｌ１方向および矢印Ｌ２方向に移動するものである。
【００３７】
駆動部２３には、第１操作検出用傾動体１２の被駆動部１２ａが挿入された第１挿入部２４が設けられている。この第１挿入部２４は、スライド操作の方向に延びた長方形状の穴からなる。この第１挿入部２４において、その幅方向に対向する内側面は、図示しないが、第１操作検出用傾動体１２の被駆動部１２ａに対して摺動可能に位置し、長さ方向に対向する内側面２４ｃ，２４ｄは、被駆動部１２ａとの間に間隔をあけて位置する。第１挿入部２４の底部２４ｅは、傾動軸体２１の傾動中心と同心の円弧状に形成されていて、被駆動部１２ａに接触している。内側面２４ｃ，２４ｄは底部２４ｅが描く円弧の径方向に広がっている。底部２４ｅは、プッシュ操作のときに第１操作検出用傾動体１２の被駆動部１２ａを押し動かす第１操作時押圧部である。内側面２４ｃ，２４ｄは被駆動部１２ａと間隔をあけて位置することによって、傾動操作のときに第１操作検出用傾動体１２の被駆動部１２ａを移動させることを避ける空間である第２操作時逃げ部２４ｆ，２４ｇを、第１挿入部１０に形成している。
【００３８】
このように構成された第２実施形態に係る磁気検出式入力装置は次のように動作する。
【００３９】
操作部２の矢印Ｐ方向へのプッシュ操作時、駆動部２３は操作部２と共に移動して第１挿入部２４の底部２４ｅ（第１操作時押圧部）により第１操作検出用傾動体１２の被駆動部１２ａを押し動かす。これにより、第１操作検出用傾動体１２が傾動して第１操作検出用磁石１４が第１操作検出用磁気センサ１６に対して矢印Ａ方向に移動する。この第１操作検出用磁石１４の移動は第１操作検出用磁気センサ１６に検出されて電気信号に変換される。この間、駆動部２３は第２挿入部１１の第１操作時逃げ部１１ｆによって第２操作検出用傾動体１３の被駆動部１３ａを移動させるのを避ける。このため、矢印Ｓ１方向および矢印Ｓ２方向のどちらにも第２操作検出用磁石１５は移動せず、第２操作検出用磁気センサ１７により第２操作検出用磁石１５の移動が検出されることはない。
【００４０】
操作部２の矢印Ｌ１方向への傾動操作時、駆動部２３は操作部２と共に移動して第２挿入部１１の内側面１１ｃ（第２操作時押圧部）により第２操作検出用傾動体１３の被駆動部１３ａを押し動かす。これにより、第２操作検出用傾動体１３が傾動して第２操作検出用磁石１５が第２操作検出用磁気センサ１７に対して矢印Ｂ２方向に移動する。この第２操作検出用磁石１５の移動は第２操作検出用磁気センサ１７に検出されて電気信号に変換される。この間、駆動部２３は第１挿入部２４の第２操作時逃げ部２４ｇによって第１操作検出用傾動体１２の被駆動部１２ａを移動させるのを避ける。このため、矢印Ａ方向に第１操作検出用磁石１４は移動せず、第１操作検出用磁気センサ１６により第１操作検出用磁石１４の移動が検出されることはない。
【００４１】
操作部２の矢印Ｌ２方向への傾動操作時、駆動部２３は操作部２と共に移動して駆動部２３は第２挿入部１１の内側面１１ｄ（第２操作時押圧部）により第２操作検出用傾動体１３の被駆動部１３ａを押し動かす。これにより、第２操作検出用傾動体１３が傾動して第２操作検出用磁石１５が第２操作検出用磁気センサ１７に対して矢印Ｂ１方向に移動する。この第２操作検出用磁石１５の移動は第２操作検出用磁気センサ１７に検出されて、操作部２の矢印Ｌ１方向へのスライド操作時とは別の電気信号に変換される。この間、駆動部２３は第１挿入部２４の第２操作時逃げ部２４ｆによって第１操作検出用傾動体１２の被駆動部１２ａを移動させるのを避ける。このため、矢印Ａ方向に第１操作検出用磁石１４は移動せず、第１操作検出用磁気センサ１６により第１操作検出用磁石１４の移動が検出されることはない。
【００４２】
このように動作することから、第２実施形態に係る磁気検出式入力装置は、Ｐ方向へのプッシュ操作と、Ｐ方向に交差する矢印Ｌ１および矢印Ｌ２方向への傾動操作とを、第１，第２操作検出用磁気センサ１６，１７により確実に区別して検出できる。つまり、「プッシュ操作と、このプッシュ操作の方向に交差する方向への傾動操作とが可能な操作部を備え、プッシュ操作およびスライド操作のどちらも磁気センサを用いて検出でき、かつ、プッシュ操作と傾動操作の誤検出を防止できる磁気検出式入力装置」を提供することができる。
【図面の簡単な説明】
【００４３】
【図１】本発明の第１実施形態に係る磁気検出式入力装置の上面図である。
【図２】図１のII−II断面図である。
【図３】本発明の第１実施形態に係る磁気検出式入力装置の、図２のIII−III位置における断面図である。
【図４】本発明の第１実施形態に係る磁気検出式入力装置の、図２のIV−IV位置における断面図である。
【図５】本発明の第２実施形態に係る磁気検出式入力装置の、図２に対応する断面図である。
【図６】本発明者が本発明に想到する前に考えた磁気検出式入力装置を示す図である。
【符号の説明】
【００４４】
１  ケース
１ａ，１ｂ  ガイド溝
１ｃ  底部
１ｄ，１ｅ  軸受
２  操作部
２ａ  頭部
２ｂ  茎部
５  スライド体
５ａ  筒状部
６，７，８  復帰バネ
９  駆動部
１０  第１挿入部
１０ａ〜１０ｄ  内側面
１０ｅ  底部（第１操作時押圧部）
１０ｆ，１０ｇ  第２操作時逃げ部
１１  第２挿入部
１１ａ〜１１ｄ  内側面
１１ｅ  底部（第２操作時押圧部）
１１ｆ  第１操作時逃げ部
１２  第１操作検出用傾動体
１２ａ  被駆動部
１２ｂ  軸部
１２ｃ  連結部
１３  第２操作検出用傾動体
１３ａ  被駆動部
１３ｂ  軸部
１３ｃ  連結部
１４  第１操作検出用磁石
１５  第２操作検出用磁石
１６  第１操作検出用磁気センサ
１７  第２操作検出用磁気センサ
２０  ケース
２０ａ  軸受
２１  傾動軸体
２１ａ  貫通孔
２２  復帰バネ
２３  駆動部
２４  第１挿入部
２４ｃ，２４ｄ  内側面
２４ｅ  底部（第１操作時押圧部）
２４ｆ，２４ｇ  第２操作時逃げ部
【図１】
2009212004.tif 000003
【図２】
2009212004.tif 000004
【図３】
2009212004.tif 000005
【図４】
2009212004.tif 000006
【図５】
2009212004.tif 000007
【図６】
2009212004.tif 000008